【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】
画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力する前景成分画像識別情報入力手段と、
前記画像データの背景オブジェクトを構成する背景オブジェクト成分からなる背景成分画像を示す背景成分画像識別情報を入力する背景成分画像識別情報入力手段と、
前記前景成分画像識別情報、および、前記背景成分画像識別情報に対応する、前記前景成分画像位置情報、および、前記背景成分画像位置情報を生成する画像位置情報生成手段と、
前記画像位置情報生成手段により生成された前記前景成分画像位置情報、および、前記背景成分画像位置情報を出力する出力手段と
を備えることを特徴とする通信装置。
【請求項２】
画素毎に、かつ、時間的に積分された画像を構成する光の量に応じて決定される画素値からなる画像データより前記前景成分画像と前記背景成分画像とが混合された領域の混合比を生成する混合比生成手段と、
前記混合比により前記画像データを前記前景成分画像と前記背景成分画像に分離する分離手段と、
前記前景成分画像に基づいて、前記前景成分画像識別情報を、前記背景成分画像に基づいて、前記背景成分画像識別情報を、それぞれ生成する識別情報生成手段と、
前記識別情報生成手段により生成された前記前景成分画像識別情報を、前景成分画像識別情報入力手段に、前記識別情報生成手段により生成された前記背景成分画像識別情報を、背景成分画像識別情報入力手段に、それぞれ供給する識別情報供給手段をさらに備える
ことを特徴とする請求項１に記載の通信装置。
【請求項３】
前記分離手段により前記画像データが分離された前記前景成分画像と前記背景成分画像を所定の位置に格納させる格納手段と、
前記格納手段により格納された前記画像データを前記前景成分画像と前記背景成分画像の、それぞれの位置情報を記憶する位置情報記憶手段をさらに備え、
前記画像位置情報生成手段は、前記位置情報記憶手段により記憶された、前記前景成分画像と前記背景成分画像が格納されている位置情報に基づいて、前記前景成分画像識別情報、および、前記背景成分画像識別情報に対応する、前記前景成分画像位置情報、および、前記背景成分画像位置情報を生成する
ことを特徴とする請求項２に記載の通信装置。
【請求項４】
前記格納手段は、前記分離手段により前記画像データが分離された前記前景成分画像と前記背景成分画像を、ネットワークを介して接続される他の通信装置に格納し、
前記位置情報記憶手段は、前記格納手段により、前記ネットワークを介して接続される他の通信装置上に格納された前記画像データを前記前景成分画像と前記背景成分画像の、それぞれの前記ネットワーク上の位置情報を記憶し、
前記画像位置情報生成手段は、前記位置情報記憶手段により記憶された、前記前景成分画像と前記背景成分画像が格納されている前記ネットワーク上の位置情報に基づいて、前記前景成分画像識別情報、および、前記背景成分画像識別情報に対応する、前記前景成分画像位置情報、および、前記背景成分画像位置情報を生成する
ことを特徴とする請求項３に記載の通信装置。
【請求項５】
前記格納手段は、前記分離手段により前記画像データが分離された前記前景成分画像と前記背景成分画像を、それぞれに対応する識別子と共に、所定の位置に格納する
ことを特徴とする請求項３に記載の通信装置。
【請求項６】
前記分離手段により前記画像データが分離された前記前景成分画像、および、前記背景成分画像のそれぞれの識別子と、前記格納手段により既に格納されている前記前景成分画像か、または、前記背景成分画像の識別子と比較する比較手段をさらに備え、
前記比較手段による比較結果に基づいて、前記格納手段は、前記分離手段により前記画像データが分離された前記前景成分画像、および、前記背景成分画像を、それぞれに対応する識別子と共に、所定の位置に格納する
ことを特徴とする請求項５に記載の通信装置。
【請求項７】
前記比較手段による比較結果が一致した場合、前記画像位置情報生成手段は、前記位置情報記憶手段により記憶された、既に格納されている前記前景成分画像、または、前記背景成分画像の位置情報に基づいて、前記前景成分画像識別情報、および、前記背景成分画像識別情報に対応する、前記前景成分画像位置情報、および、前記背景成分画像位置情報を生成する
ことを特徴とする請求項６に記載の通信装置。
【請求項８】
前景成分画像識別情報入力手段は、前記画像データの前景オブジェクトを構成する前景オブジェクト成分からなる前景成分画像を、前景成分画像識別情報として入力し、
前記背景成分画像識別情報入力手段は、前記画像データの背景オブジェクトを構成する背景オブジェクト成分からなる背景成分画像を、背景成分画像識別情報として入力する
ことを特徴とする請求項１に記載の通信装置。
【請求項９】
前記前景成分画像位置情報、および、前記背景成分画像位置情報の出力に対応した課金処理を実行する課金手段をさらに備える
ことを特徴とする請求項１に記載の通信装置。
【請求項１０】
前記課金手段は、前記使用者の識別子、前記通信装置の識別子、並びに、前記前景成分画像位置情報、および、前記背景成分画像位置情報の出力に対応する金額情報を含む課金情報を生成し、前記課金情報に基づいて、前記使用者の金融口座に対して課金処理を実行する
ことを特徴とする請求項９に記載の通信装置。
【請求項１１】
前記課金処理に使用される使用者毎のポイントを記憶するポイント記憶手段をさらに備え、
前記課金手段は、前記使用者の識別子、前記通信装置の識別子、並びに、前記前景成分画像位置情報、および、前記背景成分画像位置情報の出力に対応する金額情報を含む課金情報を生成し、前記ポイント記憶手段に記憶されたポイント数を前記金額情報に対応する分だけ減算することにより課金処理を実行する
ことを特徴とする請求項１０に記載の通信装置。
【請求項１２】
出力手段は、前記課金手段により課金処理が完了した後、課金処理が完了した前記使用者に前記前景成分画像位置情報、および、前記背景成分画像位置情報を出力する
ことを特徴とする請求項９に記載の通信装置。
【請求項１３】
画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力する前景成分画像識別情報入力ステップと、
前記画像データの背景オブジェクトを構成する背景オブジェクト成分からなる背景成分画像を示す背景成分画像識別情報を入力する背景成分画像識別情報入力ステップと、
前記前景成分画像識別情報、および、前記背景成分画像識別情報に対応する、前記前景成分画像位置情報、および、前記背景成分画像位置情報を生成する画像位置情報生成ステップと、
前記画像位置情報生成ステップの処理で生成された前記前景成分画像位置情報、および、前記背景成分画像位置情報を出力する出力ステップと
を含むことを特徴とする通信方法。
【請求項１４】
画素毎に、かつ、時間的に積分された画像を構成する光の量に応じて決定される画素値からなる画像データの前景オブジェクトを構成する前景オブジェクト成分からなる前景成分画像を示す前景成分画像識別情報の入力を制御する前景成分画像識別情報入力制御ステップと、
前記画像データの背景オブジェクトを構成する背景オブジェクト成分からなる背景成分画像を示す背景成分画像識別情報の入力を制御する背景成分画像識別情報入力制御ステップと、
前記前景成分画像識別情報、および、前記背景成分画像識別情報に対応する、前記前景成分画像位置情報、および、前記背景成分画像位置情報の生成を制御する画像位置情報生成制御ステップと、
前記画像位置情報生成制御ステップの処理で生成された前記前景成分画像位置情報、および、前記背景成分画像位置情報の出力を制御する出力制御ステップと
を含むことを特徴とするコンピュータが読み取り可能なプログラムが記録されている記録媒体。
【請求項１５】
画素毎に、かつ、時間的に積分された画像を構成する光の量に応じて決定される画素値からなる画像データの前景オブジェクトを構成する前景オブジェクト成分からなる前景成分画像を示す前景成分画像識別情報の入力を制御する前景成分画像識別情報入力制御ステップと、
前記画像データの背景オブジェクトを構成する背景オブジェクト成分からなる背景成分画像を示す背景成分画像識別情報の入力を制御する背景成分画像識別情報入力制御ステップと、
前記前景成分画像識別情報、および、前記背景成分画像識別情報に対応する、前記前景成分画像位置情報、および、前記背景成分画像位置情報の生成を制御する画像位置情報生成制御ステップと、
前記画像位置情報生成制御ステップの処理で生成された前記前景成分画像位置情報、および、前記背景成分画像位置情報の出力を制御する出力制御ステップと
をコンピュータに実行させるプログラム。
【請求項１６】
ネットワークを介して接続された第１の通信装置と第２の通信装置により構成される通信システムにおいて、
前記第１の通信装置は、
画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力する前景成分画像識別情報入力手段と、
前記画像データの背景オブジェクトを構成する背景オブジェクト成分からなる背景成分画像を示す背景成分画像識別情報を入力する背景成分画像識別情報入力手段と、
前記前景成分画像識別情報と前記背景成分画像識別情報を前記第２の通信装置に送信する第１の送信手段と、
前記第２の通信装置より送信されてくる、前記前景成分画像位置情報、および、前記背景成分画像位置情報を受信する位置情報受信手段と
を備え、
前記第２の通信装置は、
前記第１の通信装置より送信されてくる前記前景成分画像識別情報を受信する前景成分画像識別情報受信手段と、
前記第１の通信装置より送信されてくる前記背景成分画像識別情報を受信する背景成分画像識別情報受信手段と、
前記前景成分画像識別情報、および、前記背景成分画像識別情報に対応する、前記前景成分画像位置情報、および、前記背景成分画像位置情報を生成する画像位置情報生成手段と、
前記画像位置情報生成手段により生成された前記前景成分画像位置情報、および、前記背景成分画像位置情報を前記第１の通信装置に送信する第２の送信手段と
を備える
ことを特徴とする通信システム。
【手続補正２】
【補正対象書類名】明細書
【補正対象項目名】０００７
【補正方法】変更
【補正の内容】
【０００７】
【課題を解決するための手段】
本発明の第１の側面の通信装置は、画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力する前景成分画像識別情報入力手段と、画像データの背景オブジェクトを構成する背景オブジェクト成分からなる背景成分画像を示す背景成分画像識別情報を入力する背景成分画像識別情報入力手段と、前景成分画像識別情報、および、背景成分画像識別情報に対応する、前景成分画像位置情報、および、背景成分画像位置情報を生成する画像位置情報生成手段と、画像位置情報生成手段により生成された前景成分画像位置情報、および、背景成分画像位置情報を出力する出力手段とを備えることを特徴とする。
【手続補正３】
【補正対象書類名】明細書
【補正対象項目名】００１９
【補正方法】変更
【補正の内容】
【００１９】
本発明の第１の側面の通信方法は、前記画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力する前景成分画像識別情報入力ステップと、画像データの背景オブジェクトを構成する背景オブジェクト成分からなる背景成分画像を示す背景成分画像識別情報を入力する背景成分画像識別情報入力ステップと、前景成分画像識別情報、および、背景成分画像識別情報に対応する、前景成分画像位置情報、および、背景成分画像位置情報を生成する画像位置情報生成ステップと、画像位置情報生成ステップの処理で生成された前景成分画像位置情報、および、背景成分画像位置情報を出力する出力ステップとを含むことを特徴とする。
【手続補正４】
【補正対象書類名】明細書
【補正対象項目名】００２０
【補正方法】変更
【補正の内容】
【００２０】
本発明の第１の側面の記録媒体のプログラムは、画素毎に、かつ、時間的に積分された画像を構成する光の量に応じて決定される画素値からなる画像データの前景オブジェクトを構成する前景オブジェクト成分からなる前景成分画像を示す前景成分画像識別情報の入力を制御する前景成分画像識別情報入力制御ステップと、画像データの背景オブジェクトを構成する背景オブジェクト成分からなる背景成分画像を示す背景成分画像識別情報の入力を制御する背景成分画像識別情報入力制御ステップと、前景成分画像識別情報、および、背景成分画像識別情報に対応する、前景成分画像位置情報、および、背景成分画像位置情報の生成を制御する画像位置情報生成制御ステップと、画像位置情報生成制御ステップの処理で生成された前景成分画像位置情報、および、背景成分画像位置情報の出力を制御する出力制御ステップとを含むことを特徴とする。
【手続補正５】
【補正対象書類名】明細書
【補正対象項目名】００２１
【補正方法】変更
【補正の内容】
【００２１】
本発明の第１の側面のプログラムは、画素毎に、かつ、時間的に積分された画像を構成する光の量に応じて決定される画素値からなる画像データの前景オブジェクトを構成する前景オブジェクト成分からなる前景成分画像を示す前景成分画像識別情報の入力を制御する前景成分画像識別情報入力制御ステップと、画像データの背景オブジェクトを構成する背景オブジェクト成分からなる背景成分画像を示す背景成分画像識別情報の入力を制御する背景成分画像識別情報入力制御ステップと、前景成分画像識別情報、および、背景成分画像識別情報に対応する、前景成分画像位置情報、および、背景成分画像位置情報の生成を制御する画像位置情報生成制御ステップと、画像位置情報生成制御ステップの処理で生成された前景成分画像位置情報、および、背景成分画像位置情報の出力を制御する出力制御ステップとをコンピュータに実行させることを特徴とする。
【手続補正６】
【補正対象書類名】明細書
【補正対象項目名】００２２
【補正方法】変更
【補正の内容】
【００２２】
本発明の第２の側面の通信システムは、第１の通信装置が、画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力する前景成分画像識別情報入力手段と、画像データの背景オブジェクトを構成する背景オブジェクト成分からなる背景成分画像を示す背景成分画像識別情報を入力する背景成分画像識別情報入力手段と、前景成分画像識別情報と背景成分画像識別情報を第２の通信装置に送信する第１の送信手段と、第２の通信装置より送信されてくる、前景成分画像位置情報、および、背景成分画像位置情報を受信する位置情報受信手段とを備え、第２の通信装置が、第１の通信装置より送信されてくる前景成分画像識別情報を受信する前景成分画像識別情報受信手段と、第１の通信装置より送信されてくる背景成分画像識別情報を受信する背景成分画像識別情報受信手段と、前景成分画像識別情報、および、背景成分画像識別情報に対応する、前景成分画像位置情報、および、背景成分画像位置情報を生成する画像位置情報生成手段と、画像位置情報生成手段により生成された前景成分画像位置情報、および、背景成分画像位置情報を第１の通信装置に送信する第２の送信手段とを備えることを特徴とする。
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】変更
【補正の内容】
【００４５】
本発明の第１の側面においては、画素毎に、かつ、時間的に積分された画像を構成する光の量に応じて決定される画素値からなる画像データの前景オブジェクトを構成する前景オブジェクト成分からなる前景成分画像を示す前景成分画像識別情報が入力され、画像データの背景オブジェクトを構成する背景オブジェクト成分からなる背景成分画像を示す背景成分画像識別情報が入力され、前景成分画像識別情報、および、背景成分画像識別情報に対応する、前景成分画像位置情報、および、背景成分画像位置情報が生成され、生成された前景成分画像位置情報、および、背景成分画像位置情報が出力される。
【手続補正３０】
【補正対象書類名】明細書
【補正対象項目名】００４６
【補正方法】変更
【補正の内容】
【００４６】
本発明の第２の側面においては、第１の通信装置により、画素毎に、かつ、時間的に積分された画像を構成する光の量に応じて決定される画素値からなる画像データの前景オブジェクトを構成する前景オブジェクト成分からなる前景成分画像を示す前景成分画像識別情報が入力され、画像データの背景オブジェクトを構成する背景オブジェクト成分からなる背景成分画像を示す背景成分画像識別情報が入力され、前景成分画像識別情報と背景成分画像識別情報が第２の通信装置に送信され、第２の通信装置より送信されてくる、前景成分画像位置情報、および、背景成分画像位置情報が受信され、第２の通信装置により、第１の通信装置より送信されてくる前景成分画像識別情報が受信され、第１の通信装置より送信されてくる背景成分画像識別情報が受信され、前景成分画像識別情報、および、背景成分画像識別情報に対応する、前景成分画像位置情報、および、背景成分画像位置情報が生成され、生成された前景成分画像位置情報、および、背景成分画像位置情報が第１の通信装置に送信される。
【手続補正３１】
【補正対象書類名】明細書
【補正対象項目名】００４７
【補正方法】削除
【補正の内容】
【手続補正３２】
【補正対象書類名】明細書
【補正対象項目名】００４８
【補正方法】削除
【補正の内容】
【手続補正３３】
【補正対象書類名】明細書
【補正対象項目名】０８７０
【補正方法】変更
【補正の内容】
【０８７０】
【発明の効果】
本発明の第１の側面によれば、画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力し、画像データの背景オブジェクトを構成する背景オブジェクト成分からなる背景成分画像を示す背景成分画像識別情報を入力し、前景成分画像識別情報、および、背景成分画像識別情報に対応する、前景成分画像位置情報、および、背景成分画像位置情報を生成し、生成した前景成分画像位置情報、および、背景成分画像位置情報を出力するようにした。
【手続補正３４】
【補正対象書類名】明細書
【補正対象項目名】０８７１
【補正方法】変更
【補正の内容】
【０８７１】
本発明の第２の側面によれば、第１の通信装置が、画素毎に、かつ、時間的に積分された画像を構成する光の量に応じて決定される画素値からなる画像データの前景オブジェクトを構成する前景オブジェクト成分からなる前景成分画像を示す前景成分画像識別情報を入力し、画像データの背景オブジェクトを構成する背景オブジェクト成分からなる背景成分画像を示す背景成分画像識別情報を入力し、前景成分画像識別情報と背景成分画像識別情報が第２の通信装置に送信され、第２の通信装置より送信されてくる、前景成分画像位置情報、および、背景成分画像位置情報を受信し、第２の通信装置が、第１の通信装置より送信されてくる前景成分画像識別情報を受信し、第１の通信装置より送信されてくる背景成分画像識別情報を受信し、前景成分画像識別情報、および、背景成分画像識別情報に対応する、前景成分画像位置情報、および、背景成分画像位置情報を生成し、生成した前景成分画像位置情報、および、背景成分画像位置情報を第１の通信装置に送信するようにした。
【手続補正３５】
【補正対象書類名】明細書
【補正対象項目名】０８７２
【補正方法】削除
【補正の内容】
【手続補正３６】
【補正対象書類名】明細書
【補正対象項目名】０８７３
【補正方法】削除
【補正の内容】